(57)【要約】【課題】表示されたコンテンツに基づいて、簡単な操作によって容易に他の利用者とコミュニケーションが可能となるコンテンツ表示装置等を提供する。【解決手段】ネットワークを介してサーバに接続され、コンテンツを表示可能なコンテンツ表示装置において、表示されたコンテンツから一部の領域を評価対象として指定し、評価対象に対応づけてメッセージを選択する。そして、表示されたコンテンツの識別情報と、評価対象と、メッセージとを評価情報に含めてサーバに送信する。サーバからは、前記評価情報を含む共有情報を受信し、表示されているコンテンツに対応するメッセージを表示する。【選択図】図８
2014036232.tif 000002
【特許請求の範囲】
【請求項１】
サーバと、ネットワークを介してサーバに接続され、コンテンツを表示可能なコンテンツ表示装置と、を含むコンテンツ配信システムにおいて、
前記コンテンツ表示装置は、
タッチパネルから利用者の入力を検知する入力検知手段と、
表示されたコンテンツから、前記入力を検知した領域を評価対象として指定する評価対象選択手段と、
前記評価対象に対応づけてメッセージを選択するメッセージ選択手段と、
前記表示されたコンテンツの識別情報と、前記評価対象と、前記メッセージとを評価情報に含めて前記サーバに送信する評価情報送信手段と、
を備え、
前記サーバは、
接続されたコンテンツ表示装置から前記評価情報を受信する評価情報受信手段と、
前記評価情報から共有情報を生成する共有情報生成手段と、
前記共有情報を、評価情報に対応するコンテンツを表示しているコンテンツ表示装置に対して送信する共有情報送信手段と、
を備え、
前記コンテンツ表示装置は、
前記サーバから共有情報を受信する共有情報受信手段と、
前記共有情報に基づいて、表示されているコンテンツに対応するメッセージを表示するメッセージ表示手段と、
を備えることを特徴とするコンテンツ配信システム。
【請求項２】
前記メッセージ選択手段は、
前記入力検知手段により検知された位置の近傍にメッセージ選択メニューを表示するメニュー表示手段を更に有し、
前記メニュー表示手段により表示されたメッセージの中から一のメッセージが選択されることを特徴とする請求項１に記載のコンテンツ配信システム。
【請求項３】
前記メニュー表示手段は、前記メッセージ選択メニューを所定形状において配列して表示し、
前記入力検知手段は、利用者からのスライド入力を検知し、
前記メッセージ選択手段は、前記スライド入力の方向に対応するメッセージを選択することを特徴とする請求項２に記載のコンテンツ配信システム。
【請求項４】
サーバと、ネットワークを介してサーバに接続され、コンテンツを表示可能なコンテンツ表示装置と、を含むコンテンツ配信システムにおいて、
前記コンテンツ表示装置は、
表示されたコンテンツから一部の領域を評価対象として指定する評価対象選択手段と、
前記評価対象に対応づけてメッセージを選択するメッセージ選択手段と、
前記表示されたコンテンツの識別情報と、前記評価対象と、前記メッセージとを評価情報に含めて前記サーバに送信する評価情報送信手段と、
を備え、
前記サーバは、
接続されたコンテンツ表示装置から前記評価情報を受信する評価情報受信手段と、
前記評価情報から共有情報を生成する共有情報生成手段と、
前記共有情報を、評価情報に対応するコンテンツを表示しているコンテンツ表示装置に対して送信する共有情報送信手段と、
を備え、
前記コンテンツ表示装置は、
前記サーバから共有情報を受信する共有情報受信手段と、
前記共有情報に基づいて、表示されているコンテンツに対応するメッセージを表示するメッセージ表示手段と、
を備えることを特徴とするコンテンツ配信システム。
【請求項５】
ネットワークを介してサーバに接続され、コンテンツを表示可能なコンテンツ表示装置において、
表示されたコンテンツから一部の領域を評価対象として指定する評価対象選択手段と、
前記評価対象に対応づけてメッセージを選択するメッセージ選択手段と、
前記表示されたコンテンツの識別情報と、前記評価対象と、前記メッセージとを評価情報に含めてサーバに送信する評価情報送信手段と、
前記サーバから評価情報を含む共有情報を受信する共有情報受信手段と、
前記共有情報に基づいて、表示されているコンテンツに対応するメッセージを表示するメッセージ表示手段と、
を備えることを特徴とするコンテンツ表示装置。
【請求項６】
サーバと、ネットワークを介してサーバに接続され、コンテンツを表示可能なコンテンツ表示装置と、を含むコンテンツ配信システムにおけるコンテンツ配信方法であって、
前記コンテンツ表示装置は、
タッチパネルから利用者の入力を検知する入力検知ステップと、
表示されたコンテンツから、前記入力を検知した領域を評価対象として指定する評価対象選択ステップと、
前記評価対象に対応づけてメッセージを選択するメッセージ選択ステップと、
前記表示されたコンテンツの識別情報と、前記評価対象と、前記メッセージとを評価情報に含めて前記サーバに送信する評価情報送信ステップと、
を含み、
前記サーバは、
接続されたコンテンツ表示装置から前記評価情報を受信する評価情報受信ステップと、
前記評価情報から共有情報を生成する共有情報生成ステップと、
前記共有情報を、評価情報に対応するコンテンツを表示しているコンテンツ表示装置に対して送信する共有情報送信ステップと、
を含み、
前記コンテンツ表示装置は、
前記サーバから共有情報を受信する共有情報受信ステップと、
前記共有情報に基づいて、表示されているコンテンツに対応するメッセージを表示するメッセージ表示ステップと、
を含むことを特徴とするコンテンツ配信方法。
【請求項７】
ネットワークを介してサーバに接続され、コンテンツを表示可能なコンテンツ表示装置におけるコンテンツ表示方法であって、
表示されたコンテンツから一部の領域を評価対象として指定する評価対象選択ステップと、
前記評価対象に対応づけてメッセージを選択するメッセージ選択ステップと、
前記表示されたコンテンツの識別情報と、前記評価対象と、前記メッセージとを評価情報に含めてサーバに送信する評価情報送信ステップと、
前記サーバから評価情報を含む共有情報を受信する共有情報受信ステップと、
前記共有情報に基づいて、表示されているコンテンツに対応するメッセージを表示するメッセージ表示ステップと、
を含むことを特徴とするコンテンツ表示方法。
【請求項８】
ネットワークを介してサーバに接続され、コンテンツを表示可能なコンピュータに、
表示されたコンテンツから一部の領域を評価対象として指定する評価対象選択機能と、
前記評価対象に対応づけてメッセージを選択するメッセージ選択機能と、
前記表示されたコンテンツの識別情報と、前記評価対象と、前記メッセージとを評価情報に含めてサーバに送信する評価情報送信機能と、
前記サーバから評価情報を含む共有情報を受信する共有情報受信機能と、
前記共有情報に基づいて、表示されているコンテンツに対応するメッセージを表示するメッセージ表示機能と、
を実現させることを特徴とするプログラム。
【発明の詳細な説明】
【技術分野】
【０００１】
本発明はコンテンツ表示装置等に関するものである。
【背景技術】
【０００２】
近年、映像、音声、テキスト等を表示可能なコンテンツ表示装置においては、単なるコンテンツを表示するだけではなく、様々な他のサービスとの連携が試みられている。例えば、コンテンツとネットワークサービスを連携させることにより、利用者（視聴者）にとって使い勝手の良いサービスを提供する手法等が種々登場している。
【０００３】
例えば、特許文献１に示すように、映像データに対して（ペン等で）指示入力を行い、その座標とタイミングを検索サーバへ送信すると表示物に関する検索を実施し、結果が表示される発明が知られている。
【０００４】
また、特許文献２に示すように、受信した画像中の住所、ＵＲＬ、電話番号を認識し、それらの情報が含まれる画像を記録し、アドレス帳として管理することで、放送コンテンツから効率よく情報取得できる発明が知られている。
【先行技術文献】
【特許文献】
【０００５】
【特許文献１】国際公開第２００９／１４５２３３号パンフレット
【特許文献２】特開２００１−２６８４６４号公報
【発明の概要】
【発明が解決しようとする課題】
【０００６】
近年、Ｔｗｉｔｔｅｒ（登録商標）や、Ｆａｃｅｂｏｏｋ（登録商標）を初めとするコミュニケーションを図るためのサービスが各種展開されている。例えば、コンテンツを視聴しているときに、他の利用者（コンテンツ視聴者）に対して、コンテンツの評価を送信したり、質問をしたりすることにより、コンテンツをより楽しむことが可能となっている。
【０００７】
ここで、上述した発明では、コンテンツから検索サービス等を利用することは可能であるが、他の利用者（コンテンツ視聴者）とのコミュニケーションを図る仕組みは考慮されていないため、別にサービスを利用する必要があった。
【０００８】
特に、映像コンテンツ等の場合、常に画面が遷移しているため、利用者が他の利用者に対してメッセージや評価を発信したい場合であっても、タイムラグが生じてしまい、他の共有者と上手く情報を共有出来ないという問題点があった。
【０００９】
更に、コンテンツからテキスト情報を取得することは効率がよいが、コンテンツ受信中、常に住所や電話番号等が含まれているかどうかの判断が必要となってしまう。また、それら情報を用いたコミュニケーションを行う場合は、やはり背景技術で説明した内容とは別の仕組みが必要となり、コメント追記にも別の仕組みが必要となるといった問題点があった。
【００１０】
上述した課題に鑑み、本発明の目的は、表示されたコンテンツに基づいて、簡単な操作によって容易に他の利用者とコミュニケーションが可能となるコンテンツ表示装置等を提供するものである。
【課題を解決するための手段】
【００１１】
上述した課題を解決するために、本発明のコンテンツ配信システムは、
サーバと、ネットワークを介してサーバに接続され、コンテンツを表示可能なコンテンツ表示装置と、を含むコンテンツ配信システムにおいて、
前記コンテンツ表示装置は、
タッチパネルから利用者の入力を検知する入力検知手段と、
表示されたコンテンツから、前記入力を検知した領域を評価対象として指定する評価対象選択手段と、
前記評価対象に対応づけてメッセージを選択するメッセージ選択手段と、
前記表示されたコンテンツの識別情報と、前記評価対象と、前記メッセージとを評価情報に含めて前記サーバに送信する評価情報送信手段と、
を備え、
前記サーバは、
接続されたコンテンツ表示装置から前記評価情報を受信する評価情報受信手段と、
前記評価情報から共有情報を生成する共有情報生成手段と、
前記共有情報を、評価情報に対応するコンテンツを表示しているコンテンツ表示装置に対して送信する共有情報送信手段と、
を備え、
前記コンテンツ表示装置は、
前記サーバから共有情報を受信する共有情報受信手段と、
前記共有情報に基づいて、表示されているコンテンツに対応するメッセージを表示するメッセージ表示手段と、
を備えることを特徴とする。
【００１２】
本発明のコンテンツ配信システムは、
サーバと、ネットワークを介してサーバに接続され、コンテンツを表示可能なコンテンツ表示装置と、を含むコンテンツ配信システムであって、
前記コンテンツ表示装置は、
表示されたコンテンツから一部の領域を評価対象として指定する評価対象選択手段と、
前記評価対象に対応づけてメッセージを選択するメッセージ選択手段と、
前記表示されたコンテンツの識別情報と、前記評価対象と、前記メッセージとを評価情報に含めて前記サーバに送信する評価情報送信手段と、
を備え、
前記サーバは、
接続されたコンテンツ表示装置から前記評価情報を受信する評価情報受信手段と、
前記評価情報から共有情報を生成する共有情報生成手段と、
前記共有情報を、評価情報に対応するコンテンツを表示しているコンテンツ表示装置に対して送信する共有情報送信手段と、
を備え、
前記コンテンツ表示装置は、
前記サーバから共有情報を受信する共有情報受信手段と、
前記共有情報に基づいて、表示されているコンテンツに対応するメッセージを表示するメッセージ表示手段と、
を備えることを特徴とする。
【００１３】
本発明のコンテンツ表示装置は、
ネットワークを介してサーバに接続され、コンテンツを表示可能なコンテンツ表示装置において、
表示されたコンテンツから一部の領域を評価対象として指定する評価対象選択手段と、
前記評価対象に対応づけてメッセージを選択するメッセージ選択手段と、
前記表示されたコンテンツの識別情報と、前記評価対象と、前記メッセージとを評価情報に含めてサーバに送信する評価情報送信手段と、
前記サーバから評価情報を含む共有情報を受信する共有情報受信手段と、
前記共有情報に基づいて、表示されているコンテンツに対応するメッセージを表示するメッセージ表示手段と、
を備えることを特徴とする。
【００１４】
本発明のコンテンツ配信方法は、
サーバと、ネットワークを介してサーバに接続され、コンテンツを表示可能なコンテンツ表示装置と、を含むコンテンツ配信システムにおけるコンテンツ配信方法であって、
前記コンテンツ表示装置は、
タッチパネルから利用者の入力を検知する入力検知ステップと、
表示されたコンテンツから、前記入力を検知した領域を評価対象として指定する評価対象選択ステップと、
前記評価対象に対応づけてメッセージを選択するメッセージ選択ステップと、
前記表示されたコンテンツの識別情報と、前記評価対象と、前記メッセージとを評価情報に含めて前記サーバに送信する評価情報送信ステップと、
を含み、
前記サーバは、
接続されたコンテンツ表示装置から前記評価情報を受信する評価情報受信ステップと、
前記評価情報から共有情報を生成する共有情報生成ステップと、
前記共有情報を、評価情報に対応するコンテンツを表示しているコンテンツ表示装置に対して送信する共有情報送信ステップと、
を含み、
前記コンテンツ表示装置は、
前記サーバから共有情報を受信する共有情報受信ステップと、
前記共有情報に基づいて、表示されているコンテンツに対応するメッセージを表示するメッセージ表示ステップと、
を含むことを特徴とする。
【００１５】
本発明のコンテンツ表示方法は、
ネットワークを介してサーバに接続され、コンテンツを表示可能なコンテンツ表示装置におけるコンテンツ表示方法であって、
表示されたコンテンツから一部の領域を評価対象として指定する評価対象選択ステップと、
前記評価対象に対応づけてメッセージを選択するメッセージ選択ステップと、
前記表示されたコンテンツの識別情報と、前記評価対象と、前記メッセージとを評価情報に含めてサーバに送信する評価情報送信ステップと、
前記サーバから評価情報を含む共有情報を受信する共有情報受信ステップと、
前記共有情報に基づいて、表示されているコンテンツに対応するメッセージを表示するメッセージ表示ステップと、
を含むことを特徴とする。
【００１６】
本発明のプログラムは、
ネットワークを介してサーバに接続され、コンテンツを表示可能なコンピュータに、
表示されたコンテンツから一部の領域を評価対象として指定する評価対象選択機能と、
前記評価対象に対応づけてメッセージを選択するメッセージ選択機能と、
前記表示されたコンテンツの識別情報と、前記評価対象と、前記メッセージとを評価情報に含めてサーバに送信する評価情報送信機能と、
前記サーバから評価情報を含む共有情報を受信する共有情報受信機能と、
前記共有情報に基づいて、表示されているコンテンツに対応するメッセージを表示するメッセージ表示機能と、
を実現させることを特徴とする。
【発明の効果】
【００１７】
本発明のコンテンツ表示装置によれば、表示されたコンテンツから一部の領域を評価対象として指定し、評価対象に対応づけてメッセージを選択する。そして、表示されたコンテンツの識別情報と、評価対象と、メッセージとを評価情報に含めてサーバに送信する。サーバからは、前記評価情報を含む共有情報を受信し、表示されているコンテンツに対応するメッセージを表示することになる。したがって、表示されているコンテンツに対するメッセージを、利用者はコンテンツの一部の領域に対応づけて簡単にメッセージを選択することが可能となり、また、他のコンテンツ表示装置において選択されたメッセージ等も併せて表示されることとなる。これにより、コンテンツとメッセージサービスとが連携されたサービスを簡易に利用することが可能となる。
【図面の簡単な説明】
【００１８】
【図１】本実施形態のシステム全体を説明するための概略図である。
【図２】本実施形態のコンテンツ表示装置の機能構成を説明するための図である。
【図３】本実施形態の評価情報の一例を説明するための図である。
【図４】本実施形態の共有情報の一例を説明するための図である。
【図５】本実施形態の定型文情報の一例を説明するための図である。
【図６】本実施形態のメッセージサーバの機能構成を説明するための図である。
【図７】本実施形態の利用者管理情報の一例を説明するための図である。
【図８】本実施形態におけるコンテンツ表示装置の処理についての動作フローを示した図である。
【図９】本実施形態における入力領域検出処理の動作フローを示した図である。
【図１０】本実施形態における入力領域検出処理の動作フローを示した図である。
【図１１】本実施形態における評価情報生成処理の動作フローを示した図である。
【図１２】本実施形態におけるフリック動作取得処理の動作フローを示した図である。
【図１３】本実施形態における評価情報送信処理の動作フローを示した図である。
【図１４】本実施形態における共有情報表示処理の動作フローを示した図である。
【図１５】本実施形態におけるメッセージサーバの処理についての動作フローを示した図である。
【図１６】本実施形態における実施例を説明するための表示画面の一例である。
【図１７】本実施形態における実施例を説明するための表示画面の一例である。
【図１８】本実施形態における実施例を説明するための表示画面の一例である。
【図１９】本実施形態における実施例を説明するための表示画面の一例である。
【図２０】本実施形態における実施例を説明するための表示画面の一例である。
【図２１】本実施形態における実施例を説明するための表示画面の一例である。
【図２２】本実施形態における実施例を説明するための表示画面の一例である。
【図２３】本実施形態における実施例を説明するための表示画面の一例である。
【図２４】本実施形態における実施例を説明するための表示画面の一例である。
【図２５】本実施形態のおける応用例を説明するための図である。
【図２６】本実施形態のおける応用例を説明するための図である。
【発明を実施するための形態】
【００１９】
続いて、本発明のコンテンツ表示装置を適用した実施形態について説明する。コンテンツ表示装置は、例えば各種情報や電子書籍、ブラウザ機能等を実行可能なタブレット端末や、電話機能を備えた多機能電話、いわゆるスマートフォン、パーソナルコンピュータ、電子辞書といった各種端末装置や、ネットワークに接続可能なテレビ、カーナビゲーション装置等で実現される。コンテンツ表示装置としては、可搬型の端末装置であっても良いし、据え置き型の端末装置であっても良い。
【００２０】
［１．全体構成］
まず、コンテンツ表示装置１０を含むシステム全体について、図１を用いて説明する。図１に示すように、コンテンツ表示装置１０は、ネットワークを介してメッセージサーバ２０と、コンテンツ配信サーバ３０とに接続可能である。
【００２１】
コンテンツ表示装置１０は、コンテンツ配信サーバ３０からコンテンツを受信し、表示することができる。本実施形態では、ネットワークに接続されたコンテンツ配信サーバ３０を想定しているが、例えば放送局から放送波を用いて地上波デジタル放送やＢＳデジタル放送により提供されるコンテンツが受信されても良い。
【００２２】
すなわち、コンテンツは、リアルタイムのコンテンツであってもよいし、蓄積型のコンテンツであっても良い。また、コンテンツの配信方法は、上述したように地上波デジタル放送等の放送で受信されても良いし、ＩＰマルチキャスト放送のようにネットワーク等の電気通信回線を経由して受信されても良い。
【００２３】
また、コンテンツ表示装置１０は、メッセージサーバ２０とネットワークを介して接続されている。メッセージサーバ２０は、本発明における各種処理を実現するためのサーバであり、構成、動作については後述する。なお、説明の都合上、メッセージサーバ２０と、コンテンツ配信サーバ３０を異なるサーバとして記載しているが、例えばコンテンツ配信サーバ３０に、メッセージサーバ２０の機能を含める（すなわち、コンテンツ配信側がメッセージサービスを併せて行う）こととしても良い。
【００２４】
［２．機能構成］
続いて、各種装置、サーバの機能構成を説明する。なお、コンテンツ配信サーバ３０は、記憶されたコンテンツデータを、各種端末や他のサーバに配信（送信）する機能を有しているサーバであり、従来の何れかの機能で実現可能であるため、説明を省略する。
【００２５】
［２．１  コンテンツ表示装置］
まず、コンテンツ表示装置１０の機能構成について図２を用いて説明する。図２に示すように、コンテンツ表示装置１０は、制御部１００に、コンテンツ受信部１１０と、通信部１２０と、記憶部１３０と、映像表示部１４０と、音声出力部１５０と、操作部１６０とを備えて構成されている。
【００２６】
制御部１００は、コンテンツ表示装置１０の全体を制御するための機能部である。制御部１００は、記憶部１３０に記憶されている各種プログラムを読み出して実行することにより各種機能を実現しており、例えばＣＰＵ（Central Process Unit）等により構成されている。
【００２７】
コンテンツ受信部１１０は、コンテンツ（データ）を受信するための機能部である。コンテンツデータが地上波デジタル放送のように放送波で送信される場合は、外部又は内蔵アンテナから受信されたコンテンツ（番組）が受信され、デコードされる。またＩＰマルチキャスト放送で送信される場合は、通信部１２０から受信されたコンテンツデータを、コンテンツ受信部１１０でデコードする。
【００２８】
通信部１２０は、コンテンツ表示装置１０がネットワークに接続される場合に利用されるインタフェース部である。例えば、Ｅｔｈｅｒｎｅｔ（登録商標）の有線ＬＡＮ、ＩＥＥＥ８０２．１１等の無線ＬＡＮ、ＷｉＭＡＸ（登録商標）や、３Ｇ回線といったＷＡＮ等に接続可能なインタフェースで構成されている。通信部１２０を介して他の装置、サーバと通信可能である。
【００２９】
記憶部１３０は、コンテンツ表示装置１０の動作に必要な各種プログラムや、各種データが記憶されている機能部である。記憶部１３０は、例えば、半導体メモリや、ＨＤＤ（Hard Disk Drive）等により構成されている。
【００３０】
また、記憶部１３０には、評価情報１３２と、共有情報１３４と、定型文情報１３６とが記憶されており、コンテンツバッファ領域１３８の記憶領域が確保されている。
【００３１】
評価情報１３２は、表示されているコンテンツに対して利用者が評価をした場合に生成される情報である。例えば、図３に示すように、利用者ＩＤ（例えば、「００１」）と、評価種別（例えば、「映像」）と、コンテンツＩＤ（例えば、「ＡＢ０００１」）と、評価した時間（例えば、「２０１２／０７／１０  １３：４０：５２．３」）と、評価対象（例えば、「（１００，１００）−（４００，３００）」）と、メッセージ（例えば、「Ｇｏｏｄ！」）とを含んで構成されている。
【００３２】
評価種別は、利用者が評価した場所を示しており、本実施形態では「映像」「メッセージ」の何れかが記憶されている。具体的には、表示されているコンテンツを評価した場合には「映像」となり、表示されているメッセージを評価した場合には「メッセージ」となる。
【００３３】
また、コンテンツＩＤ、時間及び評価対象は、後述するサムネイルを生成するために利用される情報（サムネイル情報）としても利用される。本実施形態では、時間及び評価対象として座標を用いているが、例えば時間の代わりにフレーム番号や、コンテンツの再生時間であっても良い。
【００３４】
また、評価対象は評価種別が映像の場合は座標で示されているが、評価種別がメッセージの場合にはメッセージＩＤが記憶されることとなる。
【００３５】
また、メッセージの例としては文字列が記憶されているとして説明するが、それ以外のものであっても良い。例えば、所定の定型文の種類を示すコード番号や、音声データ、画像データといったバイナリデータでも良い。
【００３６】
また、図３の一例には含まれていないが、更に関心度のパラメータを含めても良い。関心度についての詳細は後述するが、例えば関心度の大きさにより、画面表示の際に例えばメッセージの色を変化させたり、大きさを変化させたりすることができる。
【００３７】
共有情報１３４は、メッセージサーバ２０から受信される情報である。メッセージサーバ２０は、各コンテンツ表示装置から評価情報を受信し、受信された評価情報に基づいて共有情報を生成して各コンテンツ表示装置に送信する。
【００３８】
図４に、共有情報１３４の一例を示す。共有情報１３４は、利用者ＩＤ（例えば、「Ｕ００１」）と、評価種別（例えば、「映像」）と、コンテンツＩＤ（例えば「ＡＢ０００１」）と、メッセージＩＤ（例えば、「＃ＩＤ１２５３」）と、評価情報が生成された時刻（例えば、「２０１２／０７／１０  １３：４０：５２．３」）と、評価対象（例えば、「（１００，１００）−（４００，３００）」）と、メッセージ（例えば、「Ｇｏｏｄ！」）とが含まれている。
【００３９】
定型文情報１３６は、利用者が入力するメッセージについて、頻度の高いメッセージを定型文として含んでいる情報である。
【００４０】
図５に定型文情報１３６の一例を示す。定型文情報１３６は、メニューＩＤ（例えば、「１」）と、定型文（例えば、「Ｇｏｏｄ！」）とが記憶されている。なお、本実施形態においては、定型文は４つとして説明するが、２つや６つといった他の個数であっても良い。
【００４１】
また、定型文は予め設定されているメッセージでも良いし、利用者が任意に登録、更新出来ることとしても良い。また、入力された定型文から頻度の高いものが選ばれるようにしても良いし、コンテンツ事業者から指定されることとしても良い。
【００４２】
コンテンツバッファ領域１３８は、コンテンツ受信部１１０により受信されたコンテンツデータを一時的に記憶するバッファ領域である。例えば、コンテンツのサムネイル画像を生成する場合に、コンテンツバッファ領域１３８に記憶されたコンテンツデータを利用する。
【００４３】
映像表示部１４０は、コンテンツに含まれる映像を表示するための機能部である。映像表示部１４０は、例えばＬＣＤや、有機ＥＬパネルにより構成されている。なお、本実施形態における映像とは、動画像だけでなく、静止画像（写真や、アニメといったコンテンツ、データ放送等により表示される文字列等）も含むものとする。また、表示装置によっては３Ｄ映像等（立体映像）等により表示されても良い。
【００４４】
音声出力部１５０は、コンテンツに含まれる音声を出力するための機能部である。音声出力部１５０は、例えばスピーカやヘッドフォン等により構成されている。なお、音声出力部１５０は、必ずしも構成要素として備える必要は無い。
【００４５】
操作部１６０は、利用者からの操作入力を受け付けるための機能部である。例えば、各種ハードウェアキー、キーボード、マウス、リモコンといった各種入力装置が想定される。なお、各種入力装置は１つであっても良いし、複数であっても良いが、映像表示部１４０の上に設けられるタッチパネル装置が含まれるものとする。
【００４６】
なお、映像表示部１４０、音声出力部１５０及び操作部１６０は、コンテンツ表示装置１０に備えている必要は無く、接続される他の装置で実現されても良い。例えば、ＨＤＭＩやＵＳＢ、ＩＥＥＥ１３９４といったインタフェースによって接続される装置により実現されても良い。
【００４７】
［２．２  メッセージサーバ］
続いて、メッセージサーバ２０の機能構成について説明する。メッセージサーバ２０は、図６に示すように、制御部２００に、通信部２１０と、記憶部２２０とを備えて構成されている、
通信部２１０は、メッセージサーバ２０がネットワークに接続される場合に利用されるインタフェース部である。例えば、Ｅｔｈｅｒｎｅｔの有線ＬＡＮ、ＩＥＥＥ８０２．１１等の無線ＬＡＮ、ＷｉＭＡＸや、３Ｇ回線といったＷＡＮ等に接続可能なインタフェースで構成されている。通信部２１０を介して他の装置、サーバと通信可能である。
【００４８】
記憶部２２０は、メッセージサーバ２０の動作に必要な各種プログラムや、各種データが記憶されている機能部である。記憶部２２０は、例えば、半導体メモリや、ＨＤＤ（Hard Disk Drive）等により構成されている。
【００４９】
また、記憶部２２０には、共有情報２２２と、利用者管理情報２２４と、コンテンツデータ２２６とが記憶されている。
【００５０】
共有情報２２２は、図４で説明した共有情報１３４と同一の内容が含まれている情報である。共有情報２２２と、共有情報１３４との相違は、共有情報１３４が、自端末が視聴しているコンテンツに関する共有情報が含まれているのに対して、共有情報２２２は、現在出力可能なコンテンツにおいて、接続されているコンテンツ表示装置１０が表示中又は表示可能なコンテンツに関する共有情報が含まれている点である。
【００５１】
利用者管理情報２２４は、コンテンツに対応づけて、当該コンテンツを視聴中の利用者を管理するためのテーブルである。図７に示すように、例えばコンテンツＩＤ（例えば、「ＡＢ０００１」に、利用中（視聴中）の利用者ＩＤ（例えば、「Ｕ００１、Ｕ００２、Ｕ００５、Ｕ０１５、…」）が記憶されている。
【００５２】
コンテンツデータ２２６は、コンテンツ配信サーバ３０から配信されたコンテンツデータを記憶している領域である。配信されるコンテンツが蓄積され又は一時的に記憶されることにより、例えばサムネイルを生成する場合等に利用されることとなる。
【００５３】
［３．処理の流れ］
続いて、本実施形態における処理の流れについて説明する。まず、図８において、コンテンツ表示装置１０における処理について説明する。
【００５４】
［３．１  コンテンツ表示装置の全体処理］
まず、コンテンツ表示装置１０において表示するコンテンツが選択される（ステップＳ１０２）。ここで、コンテンツの選択方法としては、利用者により選択されても良いし、自動的に選択されても良い。選択されたコンテンツに基づいて、コンテンツ配信サーバ３０よりコンテンツを受信して出力する（ステップＳ１０４）。
【００５５】
コンテンツを出力中（受信中）に、メッセージサーバ２０から共有情報を受信したか否かを判定する（ステップＳ１０６）。ここで、共有情報を受信した場合は（ステップＳ１０６；Ｙｅｓ）、共有情報表示処理（ステップＳ１０８：図１４）を実行する。
【００５６】
続いて利用者からの入力を検知する（ステップＳ１０６；Ｎｏ→ステップＳ１１０又はステップＳ１０８→ステップＳ１１０）。ここで、入力が検知された場合（ステップＳ１１０；Ｙｅｓ）、入力領域検出処理（ステップＳ１１２：図９、図１０）、評価情報生成処理（ステップＳ１１４：図１１）、評価情報送信処理（ステップＳ１１６：図１３）が実行される。
【００５７】
続いて、入力が検知されなかった場合（ステップＳ１１０；Ｎｏ）又は評価情報送信処理が終了した後に、評価サービス処理が実行される（ステップＳ１１８）。評価サービス処理は、共有情報／評価情報に基づいて付加的なサービスを提供する処理である。
【００５８】
ここで、処理の終了を検出しない場合は（ステップＳ１２０；Ｎｏ）、ステップＳ１０６から処理を繰り返し実行する。他方、処理の終了を検出した場合には、実施形態におけるコンテンツ表示装置１０の処理を終了する（ステップＳ１２０；Ｙｅｓ）。
【００５９】
ここで、上述した入力領域検出処理、評価情報生成処理、評価情報送信処理及び共有情報表示処理について、以下詳細に説明する。
【００６０】
［１．３．２  入力領域検出処理］
まず、入力領域検出処理について、図９及び図１０を用いて説明する。まず、入力検知された領域がメッセージが表示されているメッセージ領域か、コンテンツ（映像）が表示されているコンテンツ領域かを判定する（ステップＳ１１０２）。
【００６１】
まず、利用者からメッセージ領域に入力があった、すなわちポインティング（タッチやタップ操作等）があった場合（ステップＳ１１０２；Ｙｅｓ）、入力検知された場所のメッセージに対応するメッセージＩＤを取得し、当該メッセージＩＤを評価対象に設定する。
【００６２】
他方、コンテンツ領域に入力があった、すなわちポインティング（タッチやタップ操作等）があった場合（ステップＳ１１０２；Ｎｏ）、コンテンツとして表示されている映像から、接触入力が検知されたタイミングの静止画（フレーム画像）を切り出す。なお、本実施形態においては、操作部１６０のうち、タッチパネルにおける入力を検知することとする。
【００６３】
続いて、検知された入力（入力検知）が何点あるかを判定する。ここで、入力検知が１点の場合（ステップＳ１１０６；Ｙｅｓ）、顔認識機能が「ＯＮ」であるか否かを判定する（ステップＳ１１０８）。
【００６４】
ここで、顔認識機能とは、静止画の中から、入力が検知された座標に最も近い顔画像を認識する。静止画から顔画像を認識する方法は公知の方法であるため、その詳細な説明を省略する。
【００６５】
そして、顔認識機能が「ＯＮ」の場合には（ステップＳ１１０８；Ｙｅｓ）、接触入力があって検出された座標に最も近い顔画像を含む領域を、評価対象として設定する（ステップＳ１１１０）。
【００６６】
顔認識機能が「ＯＦＦ」の場合（ステップＳ１１０８；Ｎｏ）、続いてメタタグ機能が「ＯＮ」であるか否かを判定する（ステップＳ１１１２）。メタタグ機能が「ＯＮ」の場合には（ステップＳ１１１２；Ｙｅｓ）、入力検知された領域の近傍のメタタグを抽出し、当該メタタグが設定されている領域を評価対象として設定する。
【００６７】
ここで、メタタグは、例えばコンテンツ提供者が、コンテンツに対応づけて設定しているものである。例えば、メタタグがどの領域に設定されているかがコンテンツに含まれており、メタタグの抽出と共に領域も抽出される。また、抽出されたメタタグに基づいて設定領域をネットワークから受信する構成としても良い。
【００６８】
続いて、特定領域検出機能が「ＯＮ」の場合には（ステップＳ１１１２；Ｎｏ→ステップＳ１１１６；Ｙｅｓ）、入力検知の箇所を中心に特定領域を抽出し、評価対象として設定する。特定領域検出機能とは、例えば、対象となる対象物（人物、車、建物等）をコンテンツの画像を解析することによって得られるものである。静止画像から検出されても良いし、動画像のフレーム間の動きに基づいて検出されても良い。
【００６９】
上記説明した機能（ステップＳ１１０８、ステップＳ１１１２、ステップＳ１１１６）は、利用者が任意に設定したり、予め設定される各種機能の一例を示したものである。これらの機能が設定されていない場合や、当該機能を有していない場合は、入力検知された箇所を中心に所定領域を評価対象として設定する（ステップＳ１１０８；Ｎｏ→ステップＳ１１１２；Ｎｏ→ステップＳ１１１６；Ｎｏ）。ここで、所定領域として、本実施形態では入力検知された座標から縦横方向に設定された画素を範囲とする矩形領域とするが、例えば、入力検知された座標から設定された画素を半径とする円形領域等であっても良い。
【００７０】
また、ステップＳ１１０６において、入力検知された箇所が２箇所以上である場合には（ステップＳ１１０６；Ｎｏ）、入力検知により線状（ライン状）が指定されているか否かを判定する（図１０のステップＳ１１５２）。
【００７１】
ここで、線状に指定されており、かつ、線状に入力検出された各箇所の各入力検知時刻に対応するフレーム静止画においてそれぞれの入力検知座標の近傍に同一オブジェクト（対象物）が検出可能な場合は、選択されたオブジェクト（対象物）を含む領域を評価対象として指定する（ステップＳ１１５２；Ｙｅｓ→ステップＳ１１５４；Ｙｅｓ→ステップＳ１１５８）。
【００７２】
他方、それ以外の場合、すなわち入力検知が線状では無く、矩形状や円状等の場合（ステップＳ１１５２；Ｎｏ）や、入力検知が線状であっても線状に同一オブジェクトが検出出来なかった場合（ステップＳ１１５４；Ｎｏ）は、複数検知されている箇所、すなわち入力検知された座標をすべて含むように選択された領域を評価対象として指定する（ステップＳ１１５６）。
【００７３】
そして、図９のステップＳ１１２２に説明を戻すと、入力検知時間が所定時間以上となっているか否かを判定する（ステップＳ１１２２）。入力検知時間が所定時間以上ではない場合は（ステップＳ１１２２；Ｎｏ）、ステップＳ１１０６から処理を繰り返し実行し、所定時間以上の場合は（ステップＳ１１２２；Ｙｅｓ）本処理を終了する。
【００７４】
［３．２  評価情報生成処理］
続いて、評価情報生成処理について、図１１を用いて説明する。まず、パイ型メニューを表示するか否かの設定を確認する（ステップＳ１２０２）。
【００７５】
具体的には、表示画面におけるタッチされている箇所がコンテンツが表示されている領域（コンテンツ表示領域）であればパイ型メニューを表示し、メッセージが表示されている領域（メッセージ表示領域）であればパイ型メニューを表示しない。また、領域毎にパイ型メニューを表示するか否かの設定を行うことも可能で有り、コンテンツ表示領域であってもパイ型メニューを表示しないといった設定も可能である。
【００７６】
ここで、パイ型メニューとは、定型文が表示されているメニューで有り、利用者が定型文を選択しやすくするために利用されるメニューである。本実施形態では、パイ型（円形状のメニュー）として説明するが、例えば矩形であってもよいし、花形であってもよい。すなわち、定型文を簡易に選択可能なメニュー表示が出来る形状であれが良い。
【００７７】
パイ型メニューを表示しない場合（ステップＳ１２０２；Ｎｏ）、メッセージとして自由文の入力が利用者により行われる（ステップＳ１２２０）。なお、本実施形態では、説明の都合上パイ型メニューを表示しない場合はメッセージを直接入力することとして説明するが、それ以外の処理（例えば、特に動作を何も行わない処理や、設定メニューを表示する処理、予め定められたメッセージや評価（例えば「いいね」等）を送信する処理）を実行しても良い。
【００７８】
続いて、パイ型メニューを表示する場合（ステップＳ１２０２；Ｙｅｓ）、入力検知が終了した位置（入力検知終了位置）の近傍にパイ型メニューを表示する（ステップＳ１２０４）。表示する位置としては、入力検知終了位置を中心にパイ型メニューを表示しても良いし、入力検知終了位置から一定方向に一定距離（例えば、上に１．５ｃｍ等）ずらした位置を中心にパイ型メニューを表示してもよいし、入力検知位置に関わらず常に一定位置（例えば、コンテンツ領域の中心）を中心にパイ型メニューを表示してもよいし、評価対象領域の開始点として設定されても良い。
【００７９】
これらのパイ型メニューの表示位置については、上記の何れかの位置に予め表示されるとしても良いし、利用者が設定により表示位置を変えられるとしても良い。これは、入力検知終了位置を中心にパイ型メニューを表示させる場合（指の中央に表示させる場合）は、フリック操作と関心度入力とが指位置と直結するために、入力を直感的に行うことができる。また、一定距離ずらして表示する場合は、自分の指等によりパイ型メニューを隠してしまうということを防ぐことができる。また、常に一定の位置に表示する場合には、例えばコンテンツ領域ギリギリ端の点を指した場合でも、正確なパイ型メニューを同じ位置に表示出来るという利点があるためである。
【００８０】
なお、パイ型メニューの表示については、本来と異なる動作がなされた場合に表示させるといった事も可能である。例えば、入力検知が静止した後、２点以上の入力検知がなされた場合（１本の指でタッチしていた状態から、２本の指でタッチした状態になる）、パイ型メニューを表示するという動作が行われても良い。
【００８１】
パイ型メニューが表示されているときに、フリック動作がなされたか否かを検出する（ステップＳ１２０６）。ここで、フリック動作が検出されない場合（ステップＳ１２０６；Ｎｏ）、パイ型メニューが消去され、メッセージとして自由文が入力可能となる（ステップＳ１２２０）。
【００８２】
なお、パイ型メニューを消去するには、他の動作、例えばパイ型メニューが表示された後に２点以上の入力検知があった場合に消去するようにしても良い。更に、パイ型メニューを非表示とした後、入力がキャンセルされる（すなわち、図８のステップＳ１０６に処理が移行する）動作としても良い。
【００８３】
他方、フリック動作が検出されると（ステップＳ１２０６；Ｙｅｓ）、フリック動作取得処理が実行される（ステップＳ１２１０）。ここで、フリック動作取得処理について図１２を用いて説明する。
【００８４】
図１２は、フリック動作取得処理の動作フローである。まず、フリック開始座標を取得し（ステップＳ１２５２）、現在座標を取得する（ステップＳ１２５４）。そして、ステップＳ１２５２で取得されたフリック開始座標とステップＳ１２５４で取得された現在座標との差分を距離として算出する（ステップＳ１２５６）。
【００８５】
ここで、フリック動作が終了すれば（ステップＳ１２５８；Ｙｅｓ）、図１１に処理が戻る。また、フリック動作が継続していれば（ステップＳ１２５８；Ｎｏ）、ステップＳ１２５４から処理が繰り返し実行される。
【００８６】
フリック動作取得処理において、フリックの動作（フリック方向、距離）を取得したのち、関心度送信機能が「ＯＮ」か否か判定する（ステップＳ１２１２）。ここで、関心度送信機能は本実施形態では、一例として利用者により予め設定されているものであり、例えば初期値として設定されていることとして説明する。他の実施形態としては、例えばコンテンツ毎にコンテンツ事業者が決定することとしても良いし、参加している利用者グループ毎に設定するといった種々の方法が考えられる。
【００８７】
関心度送信機能が「ＯＦＦ」の場合（ステップＳ１２１２；Ｎｏ）、フリック方向に対応するメッセージが取得され送信される（ステップＳ１２１４）。具体的には、パイ型メニューの方向毎に定型文情報１３６に記憶されている定型文がそれぞれ対応づけて記憶されており、当該定型文が取得される。
【００８８】
他方、関心度送信機能が「ＯＮ」に設定されている場合（ステップＳ１２１２；Ｙｅｓ）、フリックの距離から関心度が算出され（ステップＳ１２１６）、フリック方向と関心度とに対応するメッセージが取得される（ステップＳ１２１８）。具体的には、フリック方向と関心度によって異なる定型文が取得されるとしても良いし、定型文と関心度のパラメータが取得されるとしても良い。
【００８９】
そして、当該取得（入力）されたメッセージに基づいて評価情報１３２が生成される（ステップＳ１２２２）。
【００９０】
なお、上述した例では、メッセージとして自由文を入力出来ることとして説明するが、例えば音声データ等が利用者によって入力されることとしても良い。
【００９１】
また、関心度については、種々の利用が可能である。例えば、関心度の大きさによって、メッセージの内容を変化させる（例えば、関心度が「１０未満」なら「Ｇｏｏｄ」、「３０以下」なら「Ｖｅｒｙ  Ｇｏｏｄ」、それ以上なら「Ｎｉｃｅ！Ｎｉｃｅ！」等）ことも可能である。
【００９２】
［３．３  評価情報送信処理］
続いて、評価情報送信処理について図１３を用いて説明する。評価情報生成処理において生成された評価情報は、メッセージサーバ２０に送信される（ステップＳ１３０２）。
【００９３】
［３．４  共有情報表示処理］
続いて、共有情報表示処理について図１４を用いて説明する。図１４に示すように、メッセージサーバ２０から受信された共有情報から、サムネイル情報が抽出される（ステップＳ１４０２）。
【００９４】
サムネイル情報は、コンテンツ表示装置１０が、メッセージ領域に共有されるメッセージと共に表示するコンテンツのサムネイル画像に関する情報である。共有情報に含まれている情報のうち、サムネイル画像の生成に必要な情報（例えば、コンテンツＩＤ、時間、評価対象）を抽出し、サムネイル情報とする。
【００９５】
続いて、抽出されたサムネイル情報を、メッセージサーバ２０に送信する（ステップＳ１４０４）。
【００９６】
コンテンツ表示装置１０は、送信されたサムネイル情報に対応するサムネイル画像の受信が行われると（ステップＳ１４０６；Ｙｅｓ）、共有情報からメッセージを抽出する（ステップＳ１４０８）。ここで抽出されるメッセージとしては、例えば時間、利用者名（ＩＤ）、メッセージ等、表示するのに必要なものが抽出される。
【００９７】
そして、サムネイル画像及びメッセージが映像表示部１４０のメッセージ領域に表示される（ステップＳ１４１０）。
【００９８】
ここで、サムネイル画像及びメッセージを表示させる方法としては、例えばタイムラインと呼ばれる時系列に並べた状態で表示させても良い。この場合、本実施形態の場合、最新のメッセージ等が画面上部に表示されるような表示形式で表示される。それ以外にも、例えば、画面下部にスクロール表示されたり、吹き出し表示されたりするような方法であっても良い。
【００９９】
また、新しいメッセージが来るときに利用者に対して報知手段を更に備えても良い。例えば、新しいメッセージの表示が行われるタイミングに合わせて、振動や音、色づけを行って表示しても良いし、コンテンツ領域に重畳表示するような形で表示しても良い。
【０１００】
また、共有情報（評価情報）に関心度が含まれている場合、関心度に応じて動作を変更するようにしても良い。例えば関心度に応じてフォントの大きさを変えたり、色を変えたりといったことが可能となる。また、関心度が高いメッセージだけを表示させたりするといったことも可能となる。
【０１０１】
［３．５  評価サービス処理］
続いて、図８のステップＳ１１８において実行される評価サービス処理について説明する。評価サービス処理は、例えば利用者が選択したり、評価したりした内容を履歴情報として更に記憶部１３０に記憶させたり、メッセージサーバ２０において、履歴情報を蓄積し、記憶部２２０に記憶させたりすることによって、種々のサービスを提供することが可能となる処理である。以下、評価サービス処理として提供可能なサービスの例を説明する。
【０１０２】
［３．５．１  嗜好分析］
利用者が選択した評価対象に基づいて嗜好分析を行いコンテンツやコミュニティをレコメンドしたり、利用者の年齢、性別、地域等と、選択された評価対象とを更に関連づけて嗜好分析を行い、コンテンツをレコメンドしたりする。
【０１０３】
例えば、利用者が女性タレントに対して評価の高い入力を行っている場合には、当該女性タレントが出演しているコンテンツや当該女性タレントのファンが集まるコミュニティをレコメンドしたり、料理に対して評価の高い入力を行っている場合には、料理番組をレコメンドしたりすることができる。
【０１０４】
また、女性全体として評価の高い入力が多いコンテンツが検出された場合には、女性利用者に対して、当該コンテンツをレコメンドしたりすることができる。
【０１０５】
［３．５．２  アンケート分析］
コンテンツにおいて表示される製品等について、評価対象となった結果を集計することにより、表示された製品等の評価を集計することができる。集計結果をコンテンツ事業者や当該製品製造・販売事業者に対してフィードバックすることにより、各事業者は利用者の傾向を把握し、それぞれの事業活動に活用することが出来る。
【０１０６】
［３．５．３  グルーピング機能］
コンテンツ、利用者の評価対象等を集計することにより、似たような趣味・嗜好の利用者を抽出し、コミュニティを生成し、提供することができる。例えば、野球番組のようなスポーツ番組において、Ａチームの選手や、活躍シーンに対して肯定的な評価を行っている利用者を、Ａチームのファンのコミュニティとして生成するといったことができる。
【０１０７】
［３．５．４  関心度による分類］
評価情報に関心度が含まれていることにより、関心度を用いた分析を行うことができる。例えば、より関心度が高い評価情報が含まれるコンテンツを順次レコメンドしたりすることができる。例えば、野球やサッカーといったスポーツ番組で関心度が高い場合は、スポーツに関するコンテンツをレコメンドすることができる。また、旅番組のコンテンツを視聴中に、温泉に関する関心度が高い場合に、温泉に関するコンテンツをレコメンドしたり、温泉旅館の広告を優先的に配信するといったことが可能となる。
【０１０８】
［３．６  サーバ処理］
続いて、メッセージサーバ２０の処理について図１５を用いて説明する。メッセージサーバ２０は、ネットワークを介してコンテンツ表示装置１０から評価情報を受信したか否かを判定する（ステップＳ２０２）。評価情報を受信していない場合は、ステップＳ２１２に処理を移行する。
【０１０９】
また、評価情報を受信すると（ステップＳ２０２；Ｙｅｓ）、受信された評価情報からコンテンツＩＤを抽出し、当該評価情報がどのコンテンツに対応するか特定する（ステップＳ２０４）。
【０１１０】
つぎに、評価情報から共有情報を生成し（ステップＳ２０６）、コンテンツＩＤに基づくコンテンツを受信している利用者ＩＤの端末（コンテンツ表示装置）に、共有情報を送信する（ステップＳ２０８）。
【０１１１】
具体的には、生成された共有情報２２２を、利用者管理情報２２４を参照して、コンテンツを受信しているコンテンツ表示装置に共有情報を送信する。これにより、各コンテンツ表示装置に共有情報が送信されることとなる。
【０１１２】
また、サムネイル情報がコンテンツ表示装置１０から受信されているか否かを判定する（ステップＳ２０２；Ｎｏ→ステップＳ２１２又はステップＳ２０８→ステップＳ２１２）。ここで、サムネイル情報が受信されていない場合には、ステップＳ２０２から処理を繰り返し実行する（ステップＳ２１２；Ｎｏ→ステップＳ２０２）。
【０１１３】
他方、サムネイル情報をコンテンツ表示装置１０から受信すると（ステップＳ２１２；Ｙｅｓ）、サムネイル情報からサムネイル画像を生成し（ステップＳ２１４）、要求された端末（コンテンツ表示装置）に、サムネイル画像を送信する（ステップＳ２１６）。そして、処理はステップＳ２０２から繰り返し実行される。
【０１１４】
なお、本実施形態においては、コンテンツＩＤ、時間、評価対象から静止画をメッセージサーバ２０で生成することとして説明するが、各コンテンツ表示装置１０において生成されることとしても良い。
【０１１５】
［４．実施例］
続いて、上述の処理の実施例について、画面例を用いて説明する。図１６は映像表示部に出力される表示画面Ｗ１００の一例を示した図である。表示画面Ｗ１００は、コンテンツ（映像）が表示されるコンテンツ領域Ｒ１００と、共有されたメッセージが表示されるメッセージ領域Ｒ１０２とに分かれて表示されている。また、メッセージ領域Ｒ１０２は、各コンテンツ表示装置（利用者）から入力されたメッセージが時系列に表示されており、上に行くほど新しいメッセージが表示されている。例えば、新しいメッセージを受信すると、現在表示されているメッセージが下に移動表示し、メッセージ領域Ｒ１０２の上部から新しいメッセージが新着表示される。
【０１１６】
ここで、本実施形態におけるメッセージには、コンテンツのサムネイル画像Ｒ１０２ａと、メッセージＲ１０２ｂと、ユーザ名（ユーザＩＤ）Ｒ１０２ｃとが表示されている。なお、ユーザ名は、本実施形態において提供されるサービスにより利用されるユーザ名（ユーザＩＤ）でも良いし、他のＳＮＳサービス（例えばＴｗｉｔｔｅｒ（登録商標）や、Ｆａｃｅｂｏｏｋ（登録商標）、Ｇｏｏｇｌｅ＋（登録商標）等）と連携するような設定にしても良い。
【０１１７】
更に、表示画面Ｗ１００では、コンテンツ領域Ｒ１００の下部にメッセージを入力できるメッセージ入力欄Ｒ１０４と、送信ボタンＲ１０６が表示されている。利用者が、メッセージ入力欄Ｒ１０４に任意のメッセージを入力し、送信ボタンＲ１０６を選択することにより、入力されたメッセージが送信される。
【０１１８】
図１７は、利用者が画面（タッチパネル）をタッチしたときの表示画面Ｗ１１０の一例を示す図である。利用者は、タッチするもの（例えば、指Ｐ）で表示画面Ｗ１１０のＲ１１０をタッチする。そうすると、例えばＲ１１０を中心とする所定の矩形領域Ｒ１１２が評価対象として設定される。
【０１１９】
図１７において、指ＰをＲ１１０の位置でタッチし続けることにより、図１８の表示画面Ｗ１２０に遷移する。すなわち、Ｒ１１０の位置を中心にパイ型メニューＲ１２０が表示される。
【０１２０】
ここで、指Ｐをスライドさせる。すなわち、図１９の表示画面Ｗ１３０で示すように、指をＰ１からＰ２の位置にスライドさせることにより、パイ型メニューＲ１３０の選択されているメニュー項目Ｒ１３２が大きく表示される。これにより利用者に対して選択されている事が識別表示される。
【０１２１】
また、この大きさにより、利用者の関心度を表しても良い。スライド距離が大きければ大きいほど関心度が高いことになる。
【０１２２】
なお、表示されるメニューとして本実施形態においてパイ型メニューを一例として示しているが、他の形式を利用しても良いことは勿論である。例えば、図２０の表示画面Ｗ１４０に表示されるように、例えば矩形型のメニューＲ１４０が表示されても良い。この場合は、指Ｐ３の位置から、選択したいメニュー項目Ｒ１４２の位置に指をスライド（又は選択）させることにより、メッセージを選択させる事ができる。
【０１２３】
また指１本で選択する場合だけで無く、２本用いて選択させるといった方法も可能である。例えば、左手の指でメニュー項目（メッセージ候補）を表示させたあと、右手の指で選択したメニュー（メッセージ）を選択するという方法でも良い。
【０１２４】
図２１は、選択されたメッセージが表示されている表示画面Ｗ１５０である。メッセージ領域の上部の領域Ｒ１５０に、現在選択されたメッセージと、評価対象として設定された領域のキャプチャ画像、ユーザＩＤが共に表示されている。
【０１２５】
続いて、利用者によりメッセージ領域が選択（タッチ）された場合の状態の一例を示すのが、図２２の表示画面Ｗ１６０である。表示画面Ｗ１６０では、利用者が指Ｐによって領域Ｒ１６０で示される利用者Ｕ００２のメッセージが選択されている。
【０１２６】
メッセージ領域が選択された場合、例えばメッセージ入力欄Ｒ１７０にメッセージが入力可能な状態となり、別途ソフトキーボードや音声入力等の手段を用いて、任意のメッセージが入力される。そして、送信ボタンＲ１７２がタッチされることにより、入力されたメッセージが送信される。
【０１２７】
図２４は、入力されたメッセージが表示されている表示画面Ｗ１８０の一例である。領域Ｒ１８０には、図２２のＲ１６０で示されているサムネイルとともに、新たに入力されたメッセージが表示されている。
【０１２８】
なお、実施例では、コンテンツ領域がタッチされた場合はパイ型メニューが表示される（定型文が選択される）場合を説明し、メッセージ領域が選択された場合はメッセージを直接入力する場合を説明しているが、処理の流れで説明したように、各領域において種々の動作を選択することが可能である。
【０１２９】
［６．応用例］
上述した実施形態は、発明を理解する為の一例であり、課題を解決するための発明は上述した実施形態に限られる訳では無い。例えば、以下の様な処理や実施例についても考えることができる。
【０１３０】
［６．１  コンテンツから文字抽出］
例えば、コンテンツを選択した場合に、コンテンツにおいて表示されている文字列を選択（タッチ）することにより、当該文字列をメッセージとして送信しても良い。この場合、コンテンツは、フレームにより文字がぶれる事があるため、複数フレームから認識出来るフレームを特定するのが効果的である。すなわち、複数の静止画からなる静止画群に基づいて文字認識を行い、メッセージとして抽出する。
【０１３１】
例えば、図２５は、５枚の静止画から構成されている静止画群を模式的に示す図である。本図では、図２５（ｃ）が利用者がタッチしたコンテンツの静止画である。そして、図２５（ｂ）（ｄ）が、前後１枚（フレーム）の静止画であり、図２５（ａ）（ｅ）が前後２枚の静止画である。
【０１３２】
まず、図２５（ｃ）の静止画で画像文字変換の処理を実行すると、文字列が認識されない。したがって、対象画像を、Ａ−１（図２５（ｂ））、Ａ＋１（図２５（ｄ））について、同様に画像文字変換処理を実行する。
【０１３３】
そうすると、図２５（ｂ）において、文字列「http://○△×.jp/」が認識される。また、当該文字列は「ＵＲＬ」として認識され、認識された文字列はＵＲＬとして正しく文字列が表されている。したがって、「http://○△×.jp/」という文字列がメッセージとして決定されることとなる。
【０１３４】
また、図２６について説明する。図２６も、図２５と同様に５枚の静止画が含まれている静止画群を模式的に示した図である。
【０１３５】
まず、図２６（ｃ）において、文字列が認識されないため、図２６（ｂ）（ｄ）を用いて認識を行う。図２６（ｂ）からは「http://○△」が認識される。また、図２６（ｄ）からは「△×.jp/」が認識される。ここで、文字抽出の結果として、「http://○△」と「△×.jp/」とが記憶されている。
【０１３６】
同様に、図２６（ａ）（ｅ）について、画像文字変換の処理を実行すると、「http://○△」と「△×.jp/」とが認識される。ここで、文字抽出の結果として記憶されるが、５枚の静止画から共通する文字列を抽出すると「http://○△×.jp/」となる。したがって、「http://○△×.jp/」という文字列がメッセージとして決定されることとなる。
【０１３７】
このように、静止画群を利用することにより、適切に文字列を認識することができる。特に、映像コンテンツの様な動画をキャプチャした静止画の場合、適切に文字列を認識できない場合もあるため、極めて有効である。
【０１３８】
［６．２  タッチ回数により関心度入力］
パイ型メニューを表示させる前に利用者がタッチした回数、タッチ時間を関心度として利用することが出来る。
【０１３９】
すなわち、パイ型メニューを表示させるには、所定時間（例えば１秒以上）タッチを継続する必要がある構成の場合、短時間のタッチが繰り返し行われたことにより、利用者が当該タッチされた評価対象に関心度が高いと判定することも可能である。また、所定時間を超えてタッチが継続されていた時間に応じて関心度を高いと判定することも可能である。
【０１４０】
［６．３  利用者状態によるメッセージ（定型文）選択］
例えば、コンテンツ表示装置１０に利用者の状態検出手段を設け、利用者の状態に応じてメッセージを選択したり、パイ型メニューの定型文を変更したりという処理を行うことも出来る。
【０１４１】
例えば、状態検出手段の一例としてカメラを設け、カメラを用いて利用者の表情を監視するといったことも可能である。例えば、利用者の表情を監視しており、利用者の表情が「笑顔」と検出された場合には、「いいね」というメッセージが選択されたり、パイ型メニューに肯定的なメッセージを表示させるといったことが可能である。
【０１４２】
また、状態検出手段の一例として脈拍センサを設け、利用者の脈拍に応じてパイ型メニューのメッセージを変更したりすることも出来る。
【０１４３】
［７．効果］
このように、上述した実施形態によれば、コンテンツに対して、タッチ等により特定箇所の指示ができるようにし、その１又は複数の座標と時刻の情報をサーバ経由で複数の端末間で共有することにより、映像コンテンツ内の特定オブジェクト等を介したコミュニケーションを可能にする。さらに、タッチに加えてフリック等のジェスチャー操作により、所望のコメント選択を可能にすることで、より表現豊かなコミュニケーションが可能となる。
【０１４４】
また、映像コンテンツの座標と時刻をベースにした通信を行うため、少ないトラフィック量でのコミュニケーションを実現できる。すなわち、座標と時刻の情報のやり取りのみで、映像コンテンツ内の特定オブジェクトを用いたコミュニケーションを可能にするため、少ないデータ量で遅延の少ない通信が可能となり、映像のような即時性のあるコンテンツに対して、よりスムーズなコミュニケーションができる。
【０１４５】
また、映像コンテンツに含まれる、多種多様な情報を切り取ってそのまま活用し、複数端末で共有することによって、即時性の高いコミュニケーションが可能となる。すなわち、コンテンツ由来の静止画に加えて、タッチジェスチャーや、指示されたオブジェクト等によって、適切なコメントを適時生成し、それらを選択肢としてユーザに提示し、選択させることによって、シンプルで即時性のあるコミュニケーションを実現できる。
【０１４６】
また、複数の座標＆時刻情報や、タッチジェスチャー、オブジェクト認識を組み合わせることで、コミュニケーションに必要な適切なコメントを適宜生成可能であり、キーボード等を活用しなくても、他者とのコミュニケーションを実現できる。
【０１４７】
［８．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１４８】
なお、上述した実施形態では、メッセージが表示されるタイムラインは新しいものが上に表示される事として説明したが、下に表示される設定としても良い。また、特定の利用者、グループに属する利用者のメッセージだけ識別表示したり、報知動作をさせたり、逆に非表示とするといったことも可能である。
【０１４９】
また、上述した実施形態では、サムネイル画像をメッセージサーバ２０で生成することとして説明したが、例えばコンテンツ表示装置１０が生成することとしても良い。この場合、コンテンツ表示装置１０において生成されたサムネイル画像は、一度メッセージサーバ２０に送信される。そして、メッセージサーバ２０から、接続されているコンテンツ表示装置に再度配信されることとなる。
【０１５０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１５１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（(Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１５３】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１５４】
１０      ：コンテンツ表示装置
２０      ：メッセージサーバ
３０      ：コンテンツ配信サーバ
１００    ：制御部
１１０    ：コンテンツ受信部
１２０    ：通信部
１３０    ：記憶部
１３２    ：評価情報
１３４    ：共有情報
１３６    ：定型文情報
１３８    ：コンテンツバッファ領域
１４０    ：映像表示部
１５０    ：音声出力部
１６０    ：操作部
２００    ：制御部
２１０    ：通信部
２２０    ：記憶部
２２２    ：共有情報
２２４    ：利用者管理情報
２２６    ：コンテンツデータ
【図１】
2014036232.tif 000003
【図２】
2014036232.tif 000004
【図３】
2014036232.tif 000005
【図４】
2014036232.tif 000006
【図５】
2014036232.tif 000007
【図６】
2014036232.tif 000008
【図７】
2014036232.tif 000009
【図８】
2014036232.tif 000010
【図９】
2014036232.tif 000011
【図１０】
2014036232.tif 000012
【図１１】
2014036232.tif 000013
【図１２】
2014036232.tif 000014
【図１３】
2014036232.tif 000015
【図１４】
2014036232.tif 000016
【図１５】
2014036232.tif 000017
【図１６】
2014036232.tif 000018
【図１７】
2014036232.tif 000019
【図１８】
2014036232.tif 000020
【図１９】
2014036232.tif 000021
【図２０】
2014036232.tif 000022
【図２１】
2014036232.tif 000023
【図２２】
2014036232.tif 000024
【図２３】
2014036232.tif 000025
【図２４】
2014036232.tif 000026
【図２５】
2014036232.tif 000027
【図２６】
2014036232.tif 000028